(57)【要約】【課題】大型の発光素子を使用することが可能な、また、実装される発光素子の数を抑えつつ操作部分をできるだけ明るく且つ広範囲に照光することが可能なスイッチを提供する。【解決手段】回路体４に実装した発光素子９の発光により生じる光１２を導光するとともに、導光した発光素子９からの光により表面シート２の照光部１３を照光させる導光板７を、回路体４に光透過性の機能を持たせた状態で表面シート２の内側に設けられる回路体４よりもさらに内側に配置する。また、導光板７の回路体４側となる上面には、発光素子９を収容するための凹状の収容部２１を形成する。【選択図】　　図１
2004022378.tif 000002
【特許請求の範囲】
【請求項１】
回路体に実装した発光素子の発光により生じる光を導光するとともに、導光した前記光により表面シートの照光部を照光させる導光板を、前記回路体に光透過性の機能を持たせた状態で前記表面シートの内側に設けられる前記回路体よりもさらに内側に配置し、且つ、前記導光板の前記回路体側となる上面には前記発光素子を収容するための凹状の収容部を形成した
ことを特徴とするスイッチ。
【請求項２】
請求項１に記載のスイッチにおいて、
前記発光素子を前記導光板側となる前記回路体の下面に実装した
ことを特徴とするスイッチ。
【請求項３】
請求項２に記載のスイッチにおいて、
前記回路体に柔軟性を持たせるとともに前記回路体の前記下面に可動側の接点を設け、前記導光板の前記上面には前記回路体の変位により前記可動側の接点が接触する固定側の接点を直接設けた
ことを特徴とするスイッチ。
【請求項４】
請求項１に記載のスイッチにおいて、
前記回路体の一部を、前記表面シート側となる前記回路体の上面に前記発光素子を実装した状態で前記収容部に収容可能となるように形成した
ことを特徴とするスイッチ。
【請求項５】
請求項１ないし請求項４いずれか記載のスイッチにおいて、
前記導光板の前記上面側及び下面側に、前記光を反射、拡散させるための光反射・拡散層をそれぞれ配置形成した
ことを特徴とするスイッチ。
【発明の詳細な説明】
【０００１　】
【発明の属する技術分野】
本発明は、操作部分に対しての照光機能を有するスイッチに関する。
【０００２　】
【従来の技術】
例えば、薄型のスイッチとして使用されるメンブレンスイッチは、信頼性が高く省スペース化の実現に寄与することから、電気機器をはじめとする様々なものの操作部分に使用されている。このようなメンブレンスイッチの中には、例えば暗所における操作性の向上を図るための照光機能、すなわち、内部にＬＥＤ等の発光素子を備えたものが知られている。
【０００３　】
【発明が解決しようとする課題】
ところで、上記照光機能を有する従来のスイッチ（メンブレンスイッチ）にあっては、発光素子が、その発光素子を実装している回路体と、回路体よりも外側の表面シートとの間の、光透過性を有するスペーサに差し込まれるような状態で配置されることから、発光素子の大きさに制約を受けてしまい、その結果、色や輝度設定をすることが可能な大型の発光素子を使用することができないという問題点を有している。
【０００４　】
また、上記問題点の他には、操作部分をできるだけ明るくするために、且つ、広範囲にわたって照光するために、数多くの発光素子を実装しなければならないという問題点を有している。
【０００５　】
本発明は、上述した事情に鑑みてなされるもので、大型の発光素子を使用することが可能なスイッチを提供することを課題とする。また、実装される発光素子の数を抑えつつ操作部分をできるだけ明るく且つ広範囲に照光することが可能なスイッチを提供することを課題とする。
【０００６　】
【課題を解決するための手段】
上記課題を解決するためなされた請求項１記載の本発明のスイッチは、回路体に実装した発光素子の発光により生じる光を導光するとともに、導光した前記光により表面シートの照光部を照光させる導光板を、前記回路体に光透過性の機能を持たせた状態で前記表面シートの内側に設けられる前記回路体よりもさらに内側に配置し、且つ、前記導光板の前記回路体側となる上面には前記発光素子を収容するための凹状の収容部を形成したことを特徴としている。
【０００７　】
請求項２記載の本発明のスイッチは、請求項１に記載のスイッチにおいて、前記発光素子を前記導光板側となる前記回路体の下面に実装したことを特徴としている。
【０００８　】
請求項３記載の本発明のスイッチは、請求項２に記載のスイッチにおいて、前記回路体に柔軟性を持たせるとともに前記回路体の前記下面に可動側の接点を設け、前記導光板の前記上面には前記回路体の変位により前記可動側の接点が接触する固定側の接点を直接設けたことを特徴としている。
【０００９　】
請求項４記載の本発明のスイッチは、請求項１に記載のスイッチにおいて、前記回路体の一部を、前記表面シート側となる前記回路体の上面に前記発光素子を実装した状態で前記収容部に収容可能となるように形成したことを特徴としている。
【００１０　】
請求項５記載の本発明のスイッチは、請求項１ないし請求項４いずれか記載のスイッチにおいて、前記導光板の前記上面側及び下面側に、前記光を反射、拡散させるための光反射・拡散層をそれぞれ配置形成したことを特徴としている。
【００１１　】
請求項１に記載された本発明によれば、表面シートの内側の回路体よりもさらに内側に設けられる導光板の収容部に発光素子が収容される。収容部に収容された発光素子からの光は、導光板により導光された後、光透過性を有する回路体を透過して表面シートの照光部を照光する。発光素子は、表面シートと回路体との間に配置されるのではなく、回路体よりも内側の導光板の収容部に収容されることから、発光素子に対する大きさの制約が少なくなる。また、発光素子からの光は、光の導光を目的として設けられる導光板により導光されることから、例えば光透過性の機能を持たせて表面シートと回路体との間に設けられるスペーサよりも効率よく且つ広範囲に発光素子からの光を導光することが可能になる。
【００１２　】
請求項２に記載された本発明によれば、回路体の下面に発光素子が実装される。言い換えれば、発光素子が下向きに実装される。これにより、回路体よりも外側となる表面シート側までの範囲のスペースに関係なく発光素子を実装することが可能になる。
【００１３　】
請求項３に記載された本発明によれば、回路体の下面に可動側の接点が設けられるとともに、導光板の上面に固定側の接点が直接設けられ、回路体が変位することによりこれら各接点が接触してスイッチのオン・オフがなされる。このような接点の配置形成により、接点用の専用の部材等が削減され、より厚みのある導光板を設けることが可能になる。
【００１４　】
請求項４に記載された本発明によれば、回路体の上面に発光素子が実装された状態で、その発光素子を含む回路体の一部が導光板の収容部に収容される。これにより、回路体よりも外側となる表面シート側までの範囲のスペースに関係なく発光素子を実装することが可能になる。
【００１５　】
請求項５に記載された本発明によれば、発光素子からの光が光反射・拡散層によって反射、拡散されながら導光される。発光素子からの光は、効率よく且つ広範囲に導光される。
【００１６　】
【発明の実施の形態】
以下、図面を参照して本発明の実施の形態を説明する。
図１は本発明のスイッチの一実施の形態を示す断面図、図２は図１のスイッチの断面を含む斜視図である。
【００１７　】
図１及び図２において、引用符号１で示されるポリドームスイッチ（特許請求の範囲に記載したスイッチに相当）は、照光機能を有する薄型のスイッチであって、表面シート２と、スペーサ３と、回路体４と、第二スペーサ５と、メンブレンシート６と、導光板７と、筐体８と、を外側から順に備えて構成されている。また、ポリドームスイッチ１は、大型の発光素子９を使用することができるように、且つ、実装される発光素子９の数を抑えつつ操作部分１０をできるだけ明るく広範囲に照光することができるように構成されている。以下、上記構成部材について詳細に説明する。
【００１８　】
表面シート２は、例えばポリエチレンテレフタレート（ＰＥＴ）又はポリエチレンナフタレート（ＰＥＮ）からなる合成樹脂製の光透過性を有するシート部材であって、熱プレスを施すことにより形成された一又は複数の突出部１１を有している。また、表面シート２は、発光素子９からの光１２により照光される照光部１３を有している。表面シート２は、上記材質であることから元々透明であって、本形態においては、その内面に例えば「ＯＮ」、「ＯＦＦ」、「ＵＰ」、「ＤＯＷＮ」等の文字が印刷されている。突出部１１は、表面シート２の外面（上面）側に突出するとともに内面（下面）側に反転可能なドーム形状に形成されている。照光部１３は、本形態において、突出部１１の全体に形成されている。照光部１３の配置及び数は任意であるものとする。尚、引用符号１２ａは照光部１３が光っていることを示している。
【００１９　】
スペーサ３は、例えばポリエチレンテレフタレート（ＰＥＴ）又はポリエチレンナフタレート（ＰＥＮ）からなる合成樹脂製のシート部材であって、表面シート２の変形防止と、突出部１１の反転の際の空気抜きと、突出部１１のストローク寸法確保とを実現するために設けられている。スペーサ３の上下面には、既知の接着層（不図示）がそれぞれ設けられており、表面シート２と回路体４とを各々上記上下面に固定することができるようになっている。
【００２０　】
スペーサ３は、突出部１１の位置に対応して形成される貫通孔１４と、図示しない空気逃がし部とを有している。貫通孔１４は、突出部１１の直径よりも大きな直径を有するように形成されている（突出部１１の直径と同じであってもよいものとする）。また、貫通孔１４は、反転させた突出部１１が挿通されるように形成されている。このような貫通孔１４には、本形態において、発光素子９からの光１２が通過するようになっている。
【００２１　】
回路体４は、本形態において光透過性及び柔軟性を有するＦＰＣ（フレキシブル・プリント・サーキット）を用いて構成されている。また、回路体４は、所望のパターンに配索された図示しないスイッチ回路を有する回路体本体１５と、外部との電気的な接続に用いられる図示しない外部接続手段とを備えて構成されている。回路体４は、発光素子９からの光１２の透過が可能に形成されている。また、回路体４は、可動側のメンブレンシートとしての機能を有するように形成されている。
【００２２　】
回路体本体１５の下面、すなわち第二スペーサ５側には、可動側の上極接点１６と、操作部分１０に対しての照光機能を構成する一又は複数の発光素子９（例えば既知のＬＥＤ）とが設けられている。発光素子９は、本形態において、下向きに実装されている。図示しない外部接続手段は、回路体本体１５から引き出される結線回路部と、その結線回路部の先端部分に設けられる例えばエッジコネクタ端子やコネクタ等とを備えて構成されている。
【００２３　】
第二スペーサ５は、例えばポリエチレンテレフタレート（ＰＥＴ）又はポリエチレンナフタレート（ＰＥＮ）からなる合成樹脂製の光透過性を有するシート部材であって、回路体４の変形防止と、可動側のメンブレンシートとして機能する回路体４のストローク寸法確保とを実現するために設けられている。第二スペーサ５の上下面には、既知の接着層（不図示）がそれぞれ設けられており、回路体４とメンブレンシート６とを各々上記上下面に固定することができるようになっている。このような第二スペーサ５は、上極接点１６の位置に対応して形成される貫通孔１７と、発光素子９が挿通される収容部１８とを有している。
【００２４　】
メンブレンシート６は、例えばポリエチレンテレフタレート（ＰＥＴ）又はポリエチレンナフタレート（ＰＥＮ）からなる合成樹脂製の光透過性を有する薄肉のシート部材であって、メンブレンシート６の上面の所定位置には、上記上極接点１６が接触する固定側の下極接点１９が設けられている。その下極接点１９は、カーボン等の印刷によって設けられている。このようなメンブレンシート６には、発光素子９が挿通される収容部２０が形成されている。
【００２５　】
導光板７は、例えばアクリル材（ＰＭＭＡ）からなる合成樹脂製の光透過性を有する部材であって、発光素子９の発光により生じる光１２の導光を目的として設けられている。また、導光板７は、照光部１３の照光に必要な光量を導光することが可能な適宜厚みを有するように形成されている。このような導光板７の所定位置には、回路体４の下面に下向きに実装された発光素子９が収容される凹状の収容部２１が形成されている。また、導光板７の上下方向両側には、発光素子９からの光１２を反射、拡散させるための図示しない光反射・拡散層がそれぞれ配置形成されている。光反射・拡散層は、印刷や塗布やシート部材の貼り付け等の適宜手段によって層状となるように形成されている。また、光反射・拡散層は、導光された光１２の照光部１３へ向けての出射を妨げないように形成されている。
【００２６　】
筐体８は、取り付け面２２を有している。尚、本形態においては、筐体８をポリドームスイッチ１の構成部材の一つに挙げて説明しているが、これに限るものではないものとする。
【００２７　】
上記構成において、ポリドームスイッチ１は次のように組み立てられる。先ず、表面シート２をスペーサ３の上面に接着固定する。次いで、回路体４を第二スペーサ５の上面に接着固定するとともに、メンブレンシート６を第二スペーサ５の下面に接着固定する。続いて、スペーサ３の下面に回路体４、第二スペーサ５、及びメンブレンシート６で構成されるスイッチ部分を接着固定するとともに、メンブレンシート６の下面に光反射・拡散層を配置形成した導光板７を接着固定する。最後に、これらを導光板７側から筐体８の取り付け面２２に接着固定すると組み立てが完了する。そして、このように組み立てられたポリドームスイッチ１は、次のように作用する（作用図面は省略する）。
【００２８　】
スイッチ操作前となる突出部１１に荷重が掛かっていない状態では、突出部１１自体の保形性によって、その形状が保持された状態にある。そして、スイッチ操作がなされ、突出部１１がスイッチ操作をする者の指により押圧されると（下方向に荷重を掛ける押圧操作）、突出部１１が指の押圧による荷重に抗しながら、ある荷重を境にして座屈し反転する（この時、クリック感が生じる）。突出部１１が座屈、反転すると下方向の荷重が減少し、突出部１１の押圧がスムーズに進行する。反転した突出部１１は更に押し込まれてスペーサ３の貫通孔１４に挿通され、回路体４を押圧する。回路体４が押圧されると撓みが生じ、その回路体４に設けられた上極接点１６が第二スペーサ５の貫通孔１７を介してメンブレンシート６の下極接点１９に接触する。
【００２９　】
これにより、回路体４の図示しないスイッチ回路が導通状態となり、ポリドームスイッチ１はＯＮされる。一方、指が離され下方向の荷重が解除されると、回路体４及び突出部１１はもとの状態に復帰する。そして、これに伴って導通状態が解除され、ポリドームスイッチ１はＯＦＦされる。
【００３０　】
操作部分１０に対しての照光機能は、次のように作用する。例えば暗所などにおいて、ライトの点灯に伴い回路体４に実装された発光素子９が発光する。そして、その発光素子９が発光すると、発光素子９からの光１２は、収容部２１の壁面を介して導光板７内に入射し導光される。導光板７内に入射した発光素子９からの光１２は、単純に導光板７内を進む光と、光反射・拡散層（不図示）にあたって反射、拡散される光とに分けられる。この時、光反射・拡散層（不図示）にあたった光は、確実に反射、拡散され、導光板７内に戻される（光反射・拡散層がない場合、ロスする割合が高くなる）。
【００３１　】
発光素子９からの光１２は、導光板７内を効率よく且つ広範囲に導光され、その後所定位置から出射される。そして、出射された光１２は、メンブレンシート６、第二スペーサ５、及び回路体４を透過するとともに貫通孔１４を通過して照光部１３を照光し、操作部分１０を明るく照らす。
【００３２　】
以上、図１及び図２を参照しながら説明してきたように、導光板７により発光素子９に対する大きさの制約を従来よりも格段に受け難くすることができる。また、発光素子９からの光１２を効率よく且つ広範囲に導光することができる。ポリドームスイッチ１は、大型の発光素子９を使用することができるとともに、実装される発光素子９の数を抑えつつ操作部分１０をできるだけ明るく且つ広範囲に照光することができる。尚、実装される発光素子９の数が少なくなれば消費電力を抑えることもできる。
【００３３　】
次に、図３及び図４を参照しながら本発明によるスイッチの他の一実施の形態を説明する。図３は他の一実施の形態を示す断面図、図４は図３のスイッチの断面を含む斜視図である。尚、上述の形態と基本的に同一の構成部材には同一の符号を付して詳細な説明を省略するものとする。
【００３４　】
図３及び図４において、引用符号３１で示されるポリドームスイッチ（特許請求の範囲に記載したスイッチに相当）は、照光機能を有する薄型のスイッチであって、表面シート２と、スペーサ３と、メンブレンシート３２と、第二スペーサ５と、回路体３３と、導光板７と、筐体８と、を外側から順に備えて構成されている。また、ポリドームスイッチ１は、大型の発光素子９を使用することができるように、且つ、実装される発光素子９の数を抑えつつ操作部分１０をできるだけ明るく広範囲に照光することができるように構成されている。以下、上記構成部材について詳細に説明する。
【００３５　】
メンブレンシート３２は、例えばポリエチレンテレフタレート（ＰＥＴ）又はポリエチレンナフタレート（ＰＥＮ）からなる合成樹脂製の光透過性及び柔軟性を有する薄肉のシート部材であって、その下面の所定位置には、回路体３３に対する可動側の上極接点１６が設けられている。
【００３６　】
回路体３３は、本形態において光透過性及び柔軟性を有するＦＰＣ（フレキシブル・プリント・サーキット）を用いて構成されている。また、回路体３３は、所望のパターンに配索された図示しないスイッチ回路を有する回路体本体３４と、外部との電気的な接続に用いられる図示しない外部接続手段とを備えて構成されている。回路体３３は、発光素子９からの光１２の透過が可能となるように形成されている。このような回路体３３の一部３５は、図３ないし図５に示される如く、その一部３５の上面（回路体３３の上面）に発光素子９を実装した状態で導光板７の収容部２１に収容可能となるように形成されている。すなわち、回路体３３には、切り欠き３６が設けられて収容部２１に収容可能な上記一部３５が形成されている（発光素子９の実装が回路体３３の上面である場合の有効な配置構造）。
【００３７　】
回路体本体３４の上面の所定位置には、上記上極接点１６が接触する固定側の下極接点１９が設けられている。また、回路体本体３４の下面には、既知の接着層（不図示）が設けられている。その接着層（不図示）は、回路体３３を筐体８の取り付け面２２に固定するために設けられている。
【００３８　】
図示しない外部接続手段は、回路体本体３４から引き出された結線回路部と、その結線回路部の先端部分に設けられた例えばエッジコネクタ端子やコネクタ等とを備えて構成されている。
【００３９　】
上記構成において、ポリドームスイッチ３１は次のように組み立てられる。先ず、表面シート２をスペーサ３の上面に接着固定する。次いで、メンブレンシート３２を第二スペーサ５の上面に接着固定するとともに、回路体３３を第二スペーサ５の下面に接着固定する。続いて、スペーサ３の下面にメンブレンシート３２、第二スペーサ５、及び回路体３３で構成されるスイッチ部分を接着固定するとともに、回路体３３の下面に光反射・拡散層を配置形成した導光板７を接着固定する。この時、発光素子９を実装した上記一部３５が収容部２１に収容される。最後に、これらを導光板７側から筐体８の取り付け面２２に接着固定すると組み立てが完了する。そして、このように組み立てられたポリドームスイッチ３１は、次のように作用する（作用図面は省略する）。
【００４０　】
スイッチ操作前となる突出部１１に荷重が掛かっていない状態では、突出部１１自体の保形性によって、その形状が保持された状態にある。そして、スイッチ操作がなされ、突出部１１がスイッチ操作をする者の指により押圧されると（下方向に荷重を掛ける押圧操作）、突出部１１が指の押圧による荷重に抗しながら、ある荷重を境にして座屈し反転する（この時、クリック感が生じる）。突出部１１が座屈、反転すると下方向の荷重が減少し、突出部１１の押圧がスムーズに進行する。反転した突出部１１は更に押し込まれてスペーサ３の貫通孔１４に挿通され、メンブレンシート３２を押圧する。メンブレンシート３２が押圧されると撓みが生じ、そのメンブレンシート３２に設けられた上極接点１６が第二スペーサ５の貫通孔１７を介して回路体３３の下極接点１９に接触する。
【００４１　】
これにより、回路体３３の図示しないスイッチ回路が導通状態となり、ポリドームスイッチ３１はＯＮされる。一方、指が離され下方向の荷重が解除されると、メンブレンシート３２及び突出部１１はもとの状態に復帰する。そして、これに伴って導通状態が解除され、ポリドームスイッチ３１はＯＦＦされる。
【００４２　】
操作部分１０に対しての照光機能は、次のように作用する。例えば暗所などにおいて、ライトの点灯に伴い回路体３３に実装された発光素子９が発光する。そして、その発光素子９が発光すると、発光素子９からの光１２は、収容部２１の壁面を介して導光板７内に入射し導光される。導光板７内に入射した発光素子９からの光１２は、単純に導光板７内を進む光と、光反射・拡散層（不図示）にあたって反射、拡散される光とに分けられる。この時、光反射・拡散層（不図示）にあたった光は、確実に反射、拡散され、導光板７内に戻される（光反射・拡散層がない場合、ロスする割合が高くなる）。
【００４３　】
発光素子９からの光１２は、導光板７内を効率よく且つ広範囲に導光され、その後所定位置から出射される。そして、出射された光１２は、回路体３３、第二スペーサ５、及びメンブレンシート３２を透過するとともに貫通孔１４を通過して照光部１３を照光し、操作部分１０を明るく照らす。
【００４４　】
以上、図３ないし図５までを参照しながら説明してきたように、導光板７により発光素子９に対する大きさの制約を従来よりも格段に受け難くすることができる。また、発光素子９からの光１２を効率よく且つ広範囲に導光することができる。ポリドームスイッチ３１は、大型の発光素子９を使用することができるとともに、実装される発光素子９の数を抑えつつ操作部分１０をできるだけ明るく且つ広範囲に照光することができる。
【００４５　】
続いて、図６及び図７を参照しながら図１のポリドームスイッチ１（スイッチ）の変形例を説明する。図６は変形例を示す断面図、図７は断面を含む斜視図である。尚、上述の形態と基本的に同一の構成部材には同一の符号を付して詳細な説明を省略するものとする。
【００４６　】
図６及び図７において、引用符号１′で示されるポリドームスイッチ（特許請求の範囲に記載したスイッチに相当）は、照光機能を有する薄型のスイッチであって、表面シート２と、スペーサ３と、回路体４と、第二スペーサ５と、導光板７′と、筐体８と、を外側から順に備えて構成されている。すなわち、ポリドームスイッチ１′は、上述のメンブレンシート６（図１及び図２参照）を含まずに構成されている。また、ポリドームスイッチ１′は、上述のメンブレンシート６を含まないかわりに、導光板７（図１及び図２参照）に対して下極接点１９をその上面に直接設けた導光板７′を有して構成されている。
【００４７　】
このような構成のポリドームスイッチ１′は、上述のポリドームスイッチ１と同様の作用及び効果を奏する。また、構成部材の削減に寄与するとともに、より厚みのある導光板を設けることができる。
【００４８　】
その他、本発明は本発明の主旨を変えない範囲で種々変更実施可能なことは勿論である。尚、上述では表面シートに反転可能なドーム状の突出部を形成したドームスイッチを本発明に係るスイッチとしているが、突出部のない形態のメンブレンスイッチや、クリックシートスイッチ、シートスイッチ、フィルムスイッチ、ラバー（シート）スイッチでもよいものとする。
【００４９　】
【発明の効果】
以上説明したように、請求項１に記載された本発明によれば、発光素子に対する大きさの制約を受け難くすることができる。また、発光素子からの光を効率よく且つ広範囲に導光することができる。従って、大型の発光素子を使用することができるという効果と、実装される発光素子の数を抑えつつ操作部分をできるだけ明るく且つ広範囲に照光することができるという効果を奏する。
【００５０　】
請求項２に記載された本発明によれば、回路体よりも外側となる表面シート側までの範囲のスペースに関係なく発光素子を実装することができるという効果を奏する。
【００５１　】
請求項３に記載された本発明によれば、請求項２の発明の効果に加え次のような効果も奏する。すなわち、構成部材の削減に寄与することができるとともに、より厚みのある導光板を設けることができるという効果も奏する。
【００５２　】
請求項４に記載された本発明によれば、回路体よりも外側となる表面シート側までの範囲のスペースに関係なく発光素子を実装することができるという効果を奏する。また、発光素子の実装が回路体の上面である場合の有効な配置構造を提供することができるという効果を奏する。
【００５３　】
請求項５に記載された本発明によれば、発光素子からの光をより一層効率よく且つ広範囲に導光することができるという効果を奏する。
【図面の簡単な説明】
【図１】本発明によるスイッチの一実施の形態を示す断面図である。
【図２】図１のスイッチの断面を含む斜視図である。
【図３】本発明によるスイッチの他の一実施の形態を示す断面図である。
【図４】図３のスイッチの断面を含む斜視図である。
【図５】図３のスイッチを構成する回路体の斜視図である。
【図６】図１のスイッチの変形例を示す断面図である。
【図７】図６のスイッチの断面を含む斜視図である。
【符号の説明】
１、１′　ポリドームスイッチ（スイッチ）
２　表面シート
３　スペーサ
４　回路体
５　第二スペーサ
６　メンブレンシート
７、７′　導光板
８　筐体
９　発光素子
１０　操作部分
１１　突出部
１２　光
１３　照光部
１４　貫通孔
１５　回路体本体
１６　上極接点（可動側の接点）
１７　貫通孔
１８　収容部
１９　下極接点（固定側の接点）
２０、２１　収容部
２２　取り付け面
３１　ポリドームスイッチ（スイッチ）
３２　メンブレンシート
３３　回路体
３４　回路体本体
３５　一部
３６　切り欠き
【図１】
2004022378.tif 000003
【図２】
2004022378.tif 000004
【図３】
2004022378.tif 000005
【図４】
2004022378.tif 000006
【図５】
2004022378.tif 000007
【図６】
2004022378.tif 000008
【図７】
2004022378.tif 000009